(57)【要約】【課題】燃焼筒ツマミ操作時の火傷を防止する。【解決手段】枠体内に燃焼筒７を備え、この燃焼筒前面に燃焼筒位置修正用のツマミ１８を設けると共に前記枠体前面に開口部８を設け、少なくとも前記燃焼筒７で発生する輻射熱を前記開口部８を通して枠体外に放熱し、前記開口部８に備えた網状または抜き板状のガード１１にて前記燃焼筒７を保護する石油ストーブに於いて、前記ツマミ１８は燃焼筒下部に位置すると共にツマミ１８に対向するガード１１下方にはツマミ１８操作の隙間を設け、前記ガード１１の最下部を細い保護棒１７で形成したものである。【選択図】図１
2005315441.tif 000002
【特許請求の範囲】
【請求項１】
枠体内に燃焼筒を備え、この燃焼筒前面に燃焼筒位置修正用のツマミを設けると共に、前記枠体前面に開口部を設け、少なくとも前記燃焼筒で発生する輻射熱を前記開口部を通して枠体外に放熱し、前記開口部に備えた網状または抜き板状のガードにて前記燃焼筒を保護する石油ストーブに於いて、前記ツマミは燃焼筒下部に位置すると共に、ツマミに対向するガード下方にはツマミ操作の隙間を設け、前記ガードの最下部を保護棒で形成したことを特徴とする石油ストーブ。
【発明の詳細な説明】
【技術分野】
【０００１】
この発明は芯上下式の石油ストーブに関するものである。
【背景技術】
【０００２】
従来より、この種の石油ストーブに於いては、図２で示す様に、１０１は芯上下式石油ストーブの枠体で、底面の下皿１０２と背面及び左右の側面を覆う側板１０３と前面下部の前板１０４と上面の天板１０５によって横長方形状の筐体を形成し、内部に燃油を燃焼する燃焼筒１０６を備え、前面中央から上部の開口部１０７より赤熱した前記燃焼筒１０６によって輻射熱を放出し、前記天板１０５中央の多数の長穴１０８より燃焼筒１０６の熱気を上方に放出して室内を暖房するものである。
【０００３】
また前記燃焼筒１０６前方の開口部１０７は約直径２ｍｍの細い棒を多数等間隔で設けてガード１０９を形成し、高温の燃焼筒１０６に人が触れて火傷をしたり、可燃物が直接燃焼筒１０６に触れて発火する等を防止していた。（例えば、特許文献１参照）
また前記燃焼筒１０６の下部前面には燃焼筒１０６の位置を修正するツマミ１１０が設けられ、石油ストーブ点火時や燃焼中に燃焼筒１０６の位置を修正したり、正しい位置に設置されていることを確認するために、使用者がツマミ１１０をゆっくりと左右にスライドさせる作業が必要なものであった。
【特許文献１】特開２００１−１３２９３８号公報
【発明の開示】
【発明が解決しようとする課題】
【０００４】
この従来のものは、石油ストーブ正面の大きな面積を占める前記開口部１０７は棒を等間隔で配置しただけのガード１０９であるために、デザインも劣るものであった。
そこで、石油ストーブのデザインを向上させるためにガード１０９を網状または抜き板状等で形成したり、飾り板をガード１０９に取り付けたりしてガード１０９のデザインを向上させた場合、開口部１０７の開口率の低下による、輻射熱及び熱伝導の影響でガード１０９の温度が上昇し（約１３０℃）、石油ストーブ燃焼中に前記のツマミ１１０の操作を行ったとき誤って使用者の指が高温のガード１０９に接触した場合には火傷をする危険が有った。
【課題を解決するための手段】
【０００５】
この発明はこの点に着目し上記欠点を解決する為、枠体内に燃焼筒を備え、この燃焼筒前面に燃焼筒位置修正用のツマミを設けると共に、前記枠体前面に開口部を設け、少なくとも前記燃焼筒で発生する輻射熱を前記開口部を通して枠体外に放熱し、前記開口部に備えた網状または抜き板状のガードにて前記燃焼筒を保護する石油ストーブに於いて、前記ツマミは燃焼筒下部に位置すると共に、ツマミに対向するガード下方にはツマミ操作の隙間を設け、前記ガードの最下部を細い保護棒で形成したものである。
【発明の効果】
【０００６】
この発明によれば、石油ストーブのデザインを向上させると共に燃焼筒ツマミの操作時に使用者が火傷をする危険を防止するものである。
【発明を実施するための最良の形態】
【０００７】
次に、この発明の一実施形態を図面に基づいて説明する。
【実施例１】
【０００８】
１は芯上下式石油ストーブの枠体で、底面の下皿２と背面及び左右の側面を覆う側板３と前面下部の前板４と上面の天板５によって横長方形状の筐体を形成し、内部の燃焼筒室６には燃油を燃焼する燃焼筒７を備え、枠体１前面中央から上部の開口部８より赤熱した前記燃焼筒７によって輻射熱を放出し、前記天板５中央の多数の長穴９より燃焼筒７の熱気を上方に放出して室内を暖房するものである。
【０００９】
前記燃焼筒７後方の燃焼筒室６側面は燃焼筒７から発生する輻射熱を前面側に反射する様に表面が鏡状のステンレス板で形成され、また前記燃焼筒室６底面にも表面が鏡状のステンレス板が使用される輻射板１０が設けられている。
【００１０】
前記燃焼筒６前方の開口部８は網状のガード１１が設けられ、高温の燃焼筒６に人や物が直接に触れる事を防止するものである。
前記ガード１１の左端には回動軸である軸棒１２を、右端には固定棒１３をそれぞれ上下方向に設け、前記軸棒１２と固定棒１３の間の上下を縁板１４で接続し、軸棒１２と固定棒１３と上下の縁板１４で囲まれる方形面に網部１５を備え下側の縁板１４の略中央部分にロゴマーク等を表示するアルミニウム製の表示板１６を備え、この表示板１６の下方で縁板１４と略平行に保護棒１７を設けている。
前記軸棒１２の上下は天板５及び輻射板１０に備えた軸孔（図示せず）に挿入されると共に、固定棒１３下部の輻射板１０には固定孔（図示せず）が設けられ、この固定孔への固定棒１３の抜き差しにより、軸棒１２を支点としてガード１１が開閉可能に取り付けられている。
【００１１】
前記燃焼筒７の下部前面には燃焼筒７の位置を修正するツマミ１８が設けられ、前記保護棒１７と前板４との間にツマミ１８操作用の隙間を備えており、石油ストーブ点火時や燃焼中に燃焼筒７の位置を修正したり、正しい位置に設置されていることを確認するために、使用者がツマミ１８をゆっくりと左右にスライドさせるものである。
【００１２】
前記保護棒１７は直径約２ｍｍの細い棒で縁板１４から約６ｍｍの空間を隔てて縁板１４と平行に設けられ、左右幅は約３００ｍｍでありその左右端を上方に折曲げ縁板１４に溶接して設けられるもので、燃焼筒７からの輻射熱や伝導熱の影響を比較的受けにくく、縁板１４は幅約６ｍｍの平板で形成されているために燃焼筒６から輻射熱を多く受けることで、その温度が約１３０℃（強火力燃焼時、室温２５℃）の高温に達するが、このような場合でも、保護棒１７は縁板１４との間に６ｍｍの空気層を設け、且つ直径約２ｍｍの細い棒で形成されることで約７０℃の火傷をしない程度の温度を保つ事ができるので、使用者がツマミ１８を操作する時に保護棒１７に触れた場合でも火傷をする心配がないものである。
また前記保護棒１７は太すぎれば燃焼筒７よりの熱的影響を多く受けるために温度が上昇し、細すぎれば折れ曲がる事で保護棒１７のやくめを果たさなくなるもので、直径１．５ｍｍ〜２．５ｍｍの範囲のロッドで形成される事が望ましい。
【００１３】
１９は前記天板５の右端部に設けたタンク装着口（図示せず）を覆うタンク蓋で、燃油供給の際に開口してカートリッジタンク（図示せず）の着脱を行うものである。
２０は前面中央やや下部に設けた芯上下ハンドルで、回動によって内部の灯芯（図示せず）の上下動を行うものであり、この芯上下ハンドル２０の上方には押圧によって点火装置（図示せず）の操作を行う点火窓２１が設けられ、この点火窓２１の右隣には燃焼時の押圧によって前記灯芯が素早く下降して瞬時に消火動作を行うように、対震消火装置（図示せず）の操作をする緊急消火窓２２を備えている。また前記芯上下ハンドル２０の右側には燃油の残量が少なくなった場合に、表示の色が変わったり、「給油」等の文字が表示されたりして使用者に燃油切れや給油の必要を知らせる給油表示窓２３を設けている。
２４は前記側板３の左右に一対備えた器具持ち運びようの取手である。
【００１４】
作動について説明すれば、芯上下ハンドル２０を右方向に突き当たるまで回転すれば芯が最上部まで上昇し、点火窓２１を押圧すれば点火装置によって燃焼が開始され、燃焼筒７が赤熱し、前方へ輻射熱を放出し、前天板５中央の多数の長穴９より燃焼筒７の熱気を上方に放出して室内を暖房する。
また燃焼筒７から発する輻射熱および伝導熱によってガード１１が加熱される。
そして燃焼筒７の位置を修正したり、正しい位置に設置されていることを確認するために、使用者がツマミ１８を操作する場合でも、ガード１１に設けた保護棒１７によって火傷を防止するものである。
【００１５】
尚、この実施例ではガード１１に網部１５を使用したが、パンチングメタルやその他の模様を形成する抜き板でガード１１を形成し、この抜き板の最下部に保護棒１７を設けても同じ効果を得ることができるものである。
【図面の簡単な説明】
【００１６】
【図１】この発明の一実施例の斜視図。
【図２】従来例の斜視図。
【符号の説明】
【００１７】
１  枠体
７  燃焼筒
８  開口部
１１  ガード
１５  網部
１７  保護棒
１８  ツマミ
【図１】
2005315441.tif 000003
【図２】
2005315441.tif 000004